(57)【特許請求の範囲】
【請求項１】
複数枚の紙葉とこれらをまとめて傾斜状態に保持するホルダーとからなる卓上式カレンダーであって、各紙葉には上縁から所定幅だけ下がった高さ位置に横向きのスリットが形成されており、前記ホルダーは１枚の板紙からなるもので、紙葉と略同じサイズの脚板部と、この脚板部の上辺側に設けられた前記所定幅と略同じ幅の折返し部と、この折返し部の脚板部と反対側に連接して設けられた足片とから構成され、前記ホルダーの脚板部には切込線と折罫とにより脚片と係合片とが区画されると共に前記紙葉と略同じ位置に略同じスリットが設けられており、前記ホルダーの脚板部に前記複数枚の紙葉を重ねた状態で、折返し部が折り返されて足片が紙葉のスリットに挿入され、その足片の先側が脚板部のスリットから露出し且つこの足片の露出した部分が脚板部の裏面側に係止されていることを特徴とする卓上式カレンダー。
【請求項２】
紙葉のスリットと同じ高さ位置の左右側縁に切欠き部を設けた請求項１に記載の卓上式カレンダー。
【請求項３】
紙葉のスリットと同じ高さ位置に紙葉を横断するミシン目を設けた請求項１又は２に記載の卓上式カレンダー。
【請求項４】
紙葉のスリットより下の高さ位置に各紙葉を横断するミシン目を設けた請求項１に記載の卓上式カレンダー。
【請求項５】
上縁から所定幅だけ下がった高さ位置に横向きのスリットが形成されてなる複数枚の紙葉をまとめて傾斜状態に保持する卓上式カレンダー用のホルダーであって、当該ホルダーは１枚の板紙からなり、前記紙葉と略同じサイズの脚板部と、この脚板部の上辺側に設けられた前記所定幅と略同じ幅の折返し部と、この折返し部の脚板部と反対側に連接して設けられた足片とから構成され、脚板部には切込線と折罫とにより脚片と係合片とが区画されると共に前記紙葉と略同じ位置に略同じスリットが設けられ、足片には挿入されたスリットに係合する係止部が設けられていることを特徴とするホルダー。
【請求項６】
上縁から所定幅だけ下がった高さ位置に横向きのスリットが形成されてなる複数枚の紙葉と、これらをまとめて傾斜状態に保持するためのホルダーとの組合せからなる卓上式カレンダーセットであって、当該ホルダーは１枚の板紙からなり、前記紙葉と略同じサイズの脚板部と、この脚板部に連接して設けられた前記所定幅と略同じ幅の折返し部と、この折返し部の脚板部と反対側に連接して設けられた足片とから構成され、脚板部には切込線と折罫とにより脚片と係合片とが区画されると共に前記紙葉と略同じ位置に略同じスリットが設けられ、足片には挿入されたスリットに係合する係止部が設けられていることを特徴とする卓上式カレンダーセット。
【請求項７】
複数枚の紙葉とこれらをまとめて傾斜状態に保持するホルダーとからなる卓上式カレンダーであって、各紙葉には上縁から所定幅だけ下がった高さ位置に横向きのスリットが形成されており、前記ホルダーは紙葉と略同じサイズの脚板とこの脚板を紙葉と綴じ合わせるための綴じ板の２枚の板紙からなるもので、脚板には切込線と折罫とにより脚片と係合片とが区画されると共に前記紙葉と略同じ位置に略同じスリットが設けられており、綴じ板は脚板のスリットと略合致するスリットを有する後板部と、この後板部に繋がって設けられた前記所定幅と略同じ幅の折返し部と、この折返し部の後板部と反対側に連接して設けられた足片とから構成され、前記脚板に前記複数枚の紙葉を重ねた状態で、綴じ板の後板部が紙葉の裏面上部に互いのスリットが合致するように当てがわれ、折返し部が折り返されて足片が紙葉のスリットに挿入され、その足片の先側が脚板のスリットを通過して綴じ板の後板部のスリットから露出し且つこの足片の露出した部分が綴じ板の後板部の裏面側に係止されていることを特徴とする卓上式カレンダー。
【請求項８】
紙葉のスリットと同じ高さ位置の左右側縁に切欠き部を設けた請求項７に記載の卓上式カレンダー。
【請求項９】
紙葉のスリットと同じ高さ位置に紙葉を横断するミシン目を設けた請求項７又は８に記載の卓上式カレンダー。
【請求項１０】
紙葉のスリットより下の高さ位置に各紙葉を横断するミシン目を設けた請求項７に記載の卓上式カレンダー。
【請求項１１】
上縁から所定幅だけ下がった高さ位置に横向きのスリットが形成されてなる複数枚の紙葉をまとめて傾斜状態に保持する卓上式カレンダー用のホルダーであって、当該ホルダーは紙葉と略同じサイズの脚板とこの脚板を紙葉と綴じ合わせるための綴じ板の２枚の板紙からなり、脚板には切込線と折罫とにより脚片と係合片とが区画されると共に前記紙葉と略同じ位置に略同じスリットが設けられており、綴じ板は脚板のスリットと略合致するスリットを有する後板部と、この後板部に繋がって設けられた前記所定幅と略同じ幅の折返し部と、この折返し部の後板部と反対側に連接して設けられた足片とから構成され、足片には挿入されたスリットに係合する係止部が設けられていることを特徴とするホルダー。
【請求項１２】
上縁から所定幅だけ下がった高さ位置に横向きのスリットが形成されてなる複数枚の紙葉と、これらをまとめて傾斜状態に保持するためのホルダーとの組合せからなる卓上式カレンダーセットであって、前記ホルダーは紙葉と略同じサイズの脚板とこの脚板を紙葉と綴じ合わせるための綴じ板の２枚の板紙からなり、脚板には切込線と折罫とにより脚片と係合片とが区画されると共に前記紙葉と略同じ位置に略同じスリットが設けられており、綴じ板は脚板のスリットと略合致するスリットを有する後板部と、この後板部に繋がって設けられた前記所定幅と略同じ幅の折返し部と、この折返し部の後板部と反対側に連接して設けられた足片とから構成され、足片には挿入されたスリットに係合する係止部が設けられていることを特徴とする卓上式カレンダーセット。
【発明の詳細な説明】
【０００１】
【発明の属する技術分野】
本発明は、机や家具などの上に載置して使用する卓上式カレンダーの技術分野に属する。
【０００２】
【従来の技術】
従来、この種の卓上式カレンダーとしては、暦欄と絵柄等を印刷した複数枚の紙葉とこれらを保持するためのプラスチック製ケースとからなるものが一般的に知られている。そして、プラスチックケースと一体に折り畳み脚部を形成したものや、紙葉群の一番下に挿入した板紙を脚板とし、これに折り畳み脚部を設けたものとがあり、使用時にはこの脚部を起こして立てるようになっている。
【０００３】
【発明が解決しようとする課題】
上記した従来の卓上式カレンダーは、紙葉を束ねて収納するのにいずれも塩化ビニル等のプラスチックケースを使用している。したがって、使い終わって廃棄する時に環境問題の一因になるという欠点がある。したがって、プレミアム等として顧客に頒布する際に、企業のイメージを損なうことにもなりかねない。
【０００４】
【課題を解決するための手段】
上記の問題を解決するために、本発明は、環境に優しい紙のみを使用して卓上式カレンダーを作製することとしている。そして、このように全体を紙製とすることにより、廃棄した場合に環境問題を起こすのが防止できる。
【０００５】
【発明の実施の形態】
本発明に係る第１のタイプの卓上式カレンダーは、複数枚の紙葉とこれらをまとめて傾斜状態に保持するホルダーとからなる卓上式カレンダーであって、各紙葉には上縁から所定幅だけ下がった高さ位置に横向きのスリットが形成されており、前記ホルダーは１枚の板紙からなるもので、紙葉と略同じサイズの脚板部と、この脚板部の上辺側に設けられた前記所定幅と略同じ幅の折返し部と、この折返し部の脚板部と反対側に連接して設けられた足片とから構成され、前記ホルダーの脚板部には切込線と折罫とにより脚片と係合片とが区画されると共に前記紙葉と略同じ位置に略同じスリットが設けられており、前記ホルダーの脚板部に前記複数枚の紙葉を重ねた状態で、折返し部が折り返されて足片が紙葉のスリットに挿入され、その足片の先側が脚板部のスリットから露出し且つこの足片の露出した部分が脚板部の裏面側に係止されたものである。
【０００６】
そして、各紙葉の切取り操作を容易とするため、紙葉のスリットと同じ高さ位置の左右側縁に切欠き部を設けるか、紙葉のスリットと同じ高さ位置に紙葉を横断するミシン目を設けた形態にするのが好ましい。或いは、紙葉のスリットより下の高さ位置に各紙葉を横断するミシン目を設けるようにしても構わない。
【０００７】
また、本発明に係る第１のタイプのホルダーは、上縁から所定幅だけ下がった高さ位置に横向きのスリットが形成されてなる複数枚の紙葉をまとめて傾斜状態に保持する卓上式カレンダー用のホルダーであって、当該ホルダーは１枚の板紙からなり、前記紙葉と略同じサイズの脚板部と、この脚板部の上辺側に設けられた前記所定幅と略同じ幅の折返し部と、この折返し部の脚板部と反対側に連接して設けられた足片とから構成され、脚板部には切込線と折罫とにより脚片と係合片とが区画されると共に前記紙葉と略同じ位置に略同じスリットが設けられ、足片には挿入されたスリットに係合する係止部が設けられているものである。
【０００８】
また、本発明に係る第１のタイプの卓上式カレンダーセットは、上縁から所定幅だけ下がった高さ位置に横向きのスリットが形成されてなる複数枚の紙葉と、これらをまとめて傾斜状態に保持するためのホルダーとの組合せであって、当該ホルダーは１枚の板紙からなり、前記紙葉と略同じサイズの脚板部と、この脚板部に連接して設けられた前記所定幅と略同じ幅の折返し部と、この折返し部の脚板部と反対側に連接して設けられた足片とから構成され、脚板部には切込線と折罫とにより脚片と係合片とが区画されると共に前記紙葉と略同じ位置に略同じスリットが設けられ、足片には挿入されたスリットに係合する係止部が設けられていることを特徴としている。
【０００９】
本発明に係る第２のタイプの卓上式カレンダーは、複数枚の紙葉とこれらをまとめて傾斜状態に保持するホルダーとからなる卓上式カレンダーであって、各紙葉には上縁から所定幅だけ下がった高さ位置に横向きのスリットが形成されており、前記ホルダーは紙葉と略同じサイズの脚板とこの脚板を紙葉と綴じ合わせるための綴じ板の２枚の板紙からなるもので、脚板には切込線と折罫とにより脚片と係合片とが区画されると共に前記紙葉と略同じ位置に略同じスリットが設けられており、綴じ板は脚板のスリットと略合致するスリットを有する後板部と、この後板部に繋がって設けられた前記所定幅と略同じ幅の折返し部と、この折返し部の後板部と反対側に連接して設けられた足片とから構成され、前記脚板に前記複数枚の紙葉を重ねた状態で、綴じ板の後板部が紙葉の裏面上部に互いのスリットが合致するように当てがわれ、折返し部が折り返されて足片が紙葉のスリットに挿入され、その足片の先側が脚板のスリットを通過して綴じ板の後板部のスリットから露出し且つこの足片の露出した部分が綴じ板の後板部の裏面側に係止されたものである。
【００１０】
そして、このタイプの卓上式カレンダーにおいても、各紙葉の切取り操作を容易とするため、紙葉のスリットと同じ高さ位置の左右側縁に切欠き部を設けるか、紙葉のスリットと同じ高さ位置に紙葉を横断するミシン目を設けた形態にするのが好ましい。或いは、紙葉のスリットより下の高さ位置に各紙葉を横断するミシン目を設けるようにしても構わない。
【００１１】
また、本発明に係る第２のタイプのホルダーは、上縁から所定幅だけ下がった高さ位置に横向きのスリットが形成されてなる複数枚の紙葉をまとめて傾斜状態に保持する卓上式カレンダー用のホルダーであって、当該ホルダーは紙葉と略同じサイズの脚板とこの脚板を紙葉と綴じ合わせるための綴じ板の２枚の板紙からなり、脚板には切込線と折罫とにより脚片と係合片とが区画されると共に前記紙葉と略同じ位置に略同じスリットが設けられており、綴じ板は脚板のスリットと略合致するスリットを有する後板部と、この後板部に繋がって設けられた前記所定幅と略同じ幅の折返し部と、この折返し部の後板部と反対側に連接して設けられた足片とから構成され、足片には挿入されたスリットに係合する係止部が設けられているものである。
【００１２】
また、本発明に係る第２のタイプの卓上式カレンダーセットは、上縁から所定幅だけ下がった高さ位置に横向きのスリットが形成されてなる複数枚の紙葉と、これらをまとめて傾斜状態に保持するためのホルダーとの組合せからなる卓上式カレンダーセットであって、前記ホルダーは紙葉と略同じサイズの脚板とこの脚板を紙葉と綴じ合わせるための綴じ板の２枚の板紙からなり、脚板には切込線と折罫とにより脚片と係合片とが区画されると共に前記紙葉と略同じ位置に略同じスリットが設けられており、綴じ板は脚板のスリットと略合致するスリットを有する後板部と、この後板部に繋がって設けられた前記所定幅と略同じ幅の折返し部と、この折返し部の後板部と反対側に連接して設けられた足片とから構成され、足片には挿入されたスリットに係合する係止部が設けられていることを特徴としている。
【００１３】
【実施例】
図１〜図５は本発明に係る第１のタイプの卓上式カレンダーの一例を示すもので、図１はカレンダーを立てた状態で斜め前方から見た斜視図、図２は同じく斜め後方から見た斜視図、図３は紙葉の平面図、図４はホルダーの展開図、図５は図１及び図２に示すカレンダーの上部を拡大して示す側面図である。
【００１４】
図１及び図２に示すように、この卓上式カレンダーは複数枚の紙葉Ｓとこれらをまとめて傾斜状態に保持するホルダーＨとからなる。
【００１５】
紙葉Ｓは複数枚、例えば１枚の表紙と各月の暦欄を表した１２枚のシートの合計１３枚が準備される。そして、図３に示すように、各紙葉Ｓにはその上縁から所定幅αだけ下がった高さ位置に横向きのスリット１０が離間した状態で２つ設けられている。また、図示の例ではスリット１０と同じ高さ位置に各紙葉Ｓを横断するミシン目１１が設けられている。このミシン目１１は、不要になった紙葉Ｓを切り取って破る際に利用されるものである。このようなミシン目１１を設けるに当たり、スリット１０と同じ高さにする以外に、スリット１０より下の高さ位置に設けるようにしても構わない。その場合は、全幅に渡ってミシン目１１を設ける必要がある。また、ミシン目１１をスリット１０と同じ高さに設ける仕様においては、更にスリット１０と同じ高さの位置で紙葉Ｓの左右縁に切欠きを設けることにより、切り離しをより確実なものとすることができる。
【００１６】
一方、ホルダーＨは紙製の加工品であって、具体的には１枚の板紙を打抜き加工して形成されたものであるが、十分な強度のある用紙や和紙、複数枚の紙を積層（貼り合わせ）して強度を持たせた厚紙等を打ち抜いて形成されたものであっても構わない。この例のホルダーは、図４に示すように、紙葉Ｓと略同じサイズの脚板部２０と、この脚板部２０の上辺側に折罫ａを介して連接された連結部２１と、この連結部２１の上辺側に折罫ｂを介して連接された前記所定幅αと略同じ幅の折返し部２２と、この折返し部２２の脚板部２０と反対側に折罫ｃで連接された２つの足片２３とから構成されている。なお、図示の例では、脚板部２０と折返し部２２との間に、綴じる紙葉Ｓの束の厚み分の連結部２１を設けてあるが、このような連結部２１を設けない場合は、脚板部２０と折返し部２２を上下に少し長めにすればよい。
【００１７】
ホルダーＨの脚板部２０には、切込線ｄと折罫ｅとにより脚片２４，２４が区画され、切込線ｆと折罫ｇとにより係合片２５が区画されている。これらの脚片２４，２４と係合片２５は互いに係合して脚板部２０を傾斜状態に保持するようになっている。なお、脚片と係合片の形状は図示の例に限るものではなく、公知のどのような形状であっても構わないことは言うまでもない。さらに、脚板部２０の上辺付近には、前記紙葉Ｓと略同じ位置に同様な横向きのスリット２６が離間した状態で２つ設けられている。
【００１８】
ホルダーＨの足片２３は、スリット２６を通過できる大きさの差込み部分２３ａとその両側の折曲げ部分２３ｂとからなり、各折曲げ部分２３ｂは折罫ｃから所定長さだけ離れたところから差込み部分２３ａの両側に延設されている。ここでいう所定長さは、綴じる紙葉Ｓの束の厚み分とホルダーＨの厚み分を合わせた長さと略等しい。なお、図４に示す足片２３の場合、折曲げ部分２３ｂは差込み部分ａの両側に折罫を介して設けてあるが、このような折罫は特になくても構わない。
【００１９】
この実施例の卓上式カレンダーは、複数枚の紙葉ＳをホルダーＨで綴じ合わせた状態で供給されることもあり、またこれらが別々となったカレンダーセットで供給されることもある。後者の場合は使用者が綴じ合わせを行うことになる。
【００２０】
図５に複数枚の紙葉Ｓを上記のホルダーＨで綴じ合わせた状態を示す。この綴じ合わせの手順は次のようである。まず、ホルダーＨの脚板部２０に複数枚の紙葉Ｓを上向きに重ね合わせ、脚板部２０のスリット２６と各紙葉Ｓのスリット１０をすべて合わせた状態とする。次いで、ホルダーＨの折返し部２２を折罫ａ，ｂで紙葉Ｓの表側に折り返し、各足片２３を紙葉Ｓのスリット１０に挿入し、その足片２３の先側を脚板部２０のスリット２６から露出させる。この場合、足片２３の折曲げ部分２３ｂを折り曲げて差込み部分２３ａに重ねた状態で挿入させる。そして、露出した足片２３の折曲げ部分２３ｂを拡げて脚板部２０の裏面側に係止させる。
【００２１】
上記のように複数枚の紙葉ＳをホルダーＨで綴じ合わせたカレンダーは、使用時に際しホルダーＨの脚板部２０を利用して机上等に傾斜状態で立てる。この例では、脚片２４，２４を折罫ｅで直角に立てた後、係合片２５を折罫ｇで直角に立てることにより両者を係合することで図２に示す如く組み立てる。そして、月の変わり目に紙葉Ｓを順次切り取っていき、最後にホルダーＨを廃棄することになる。
【００２２】
図６〜図９は本発明に係る第２のタイプの卓上式カレンダーの一例を示すもので、図６はカレンダーを立てた状態で斜め前方から見た斜視図、図７は同じく斜め後方から見た斜視図、図８はホルダーの展開図、図９は図６及び図７に示すカレンダーの上部を拡大して示す側面図である。
【００２３】
図６及び図７に示すように、この実施例の卓上式カレンダーは複数枚の紙葉Ｓとこれらをまとめて傾斜状態に保持するホルダーＨとからなり、ホルダーＨは紙葉Ｓと略同じサイズの脚板３０とこの脚板３０を紙葉と綴じ合わせるための綴じ板４０の２枚の板紙で構成される。
【００２４】
紙葉Ｓは複数枚、先の実施例と同様に、例えば１枚の表紙と各月の暦欄を表した１２枚のシートの合計１３枚が準備される。そして、図３に示したのと同様に、各紙葉Ｓにはその上縁から所定幅αだけ下がった高さ位置に横向きのスリット１０が離間した状態で２つ設けられ、スリット１０と同じ高さ位置に各紙葉Ｓを横断するミシン目１１が設けられている。このよう切取り用のミシン目１１を設けるに当たり、スリット１０と同じ高さにする以外に、スリット１０より下の高さ位置に設けるようにしても構わない点は先の実施例の場合と同様である。その場合は、全幅に渡ってミシン目１１を設ける必要がある。また、ミシン目１１をスリット１０と同じ高さに設ける仕様においては、更にスリット１０と同じ高さの位置で紙葉Ｓの左右縁に切欠きを設けることにより、切り離しをより確実なものとすることができる点も先の実施例と同様である。
【００２５】
一方、ホルダーＨを構成する脚板３０と綴じ板４０はともに紙製の加工品であって、具体的にはそれぞれ１枚の板紙を打抜き加工して形成されたものであるが、先の実施例のホルダーＨの場合と同様、十分な強度のある用紙や和紙、複数枚の紙を積層（貼り合わせ）して強度を持たせた厚紙等を打ち抜いて形成されたものであっても構わない。
【００２６】
脚板３０は紙葉Ｓと略同じサイズで、図８に示すように、切込線ｈと折罫ｉとにより脚片３１，３１が区画され、切込線ｊと折罫ｋとにより係合片３２が区画されている。これらの脚片３１，３１と係合片３２は互いに係合して脚板３０を傾斜状態に保持するようになっている。なお、脚片と係合片の形状は図示の例に限るものではなく、公知のどのような形状であっても構わないことは言うまでもない。また、脚板３０の上辺付近には、前記紙葉Ｓと略同じ位置に同様な横向きのスリット３３が離間した状態で２つ設けられている。
【００２７】
綴じ板４０は、脚板３０のスリット３３と略合致するスリット４１を有する後板部４２と、この後板部４２の上辺側に折罫ｌを介して連接された連結部４３と、この連結部４３の上辺側に折罫ｍを介して連接された前記所定幅αと略同じ幅の折返し部４４と、この折返し部４４の後板部４２と反対側に折罫ｎで連接された２つの足片４５とから構成されている。なお、図示の例では、後板部４２と折返し部４４との間に、綴じる紙葉Ｓの束と脚板３０を合わせた厚み分の連結部４３を設けてあるが、このような連結部４３を設けない場合は、後板部４２と折返し部４４を上下に少し長めにすればよい。また、綴じ板４０の足片４５は、スリット４１を通過できる大きさの差込み部分４５ａとその両側の折曲げ部分４５ｂとからなり、各折曲げ部分４５ｂは折罫ｎから所定長さだけ離れたところから差込み部分４５ａの両側に延設されている。ここでいう所定長さは、綴じる紙葉Ｓの束と脚板３０と後板部４２の厚み分を合わせた長さと略等しい。なお、足片４５の折曲げ部分４５ｂは図示の如く差込み部分４５ａの両側に折罫を介して設けてあるが、このような折罫がなくても構わない点は先の場合と同様である。
【００２８】
この実施例の卓上式カレンダーも、複数枚の紙葉ＳをホルダーＨで綴じ合わせた状態で供給されることもあり、またこれらが別々となったカレンダーセットで供給されることもある。後者の場合は使用者が綴じ合わせを行うことになる。
【００２９】
図９に複数枚の紙葉Ｓを脚板３０と綴じ板４０とからなる上記のホルダーＨで綴じ合わせた状態を示す。この綴じ合わせの手順は次のようである。まず、脚板３０に複数枚の紙葉Ｓを上向きに重ね合わせ、さらに綴じ板４０の後板部４２を紙葉Ｓの裏面上部に当てがい、各紙葉Ｓのスリット１０と脚板３０のスリット３１と綴じ板４０のスリット４１をすべて合わせた状態とする。次いで、綴じ板４０の折返し部４４を折罫ｌ，ｍで紙葉Ｓの表側に折り返し、各足片４５を紙葉Ｓのスリット１０に挿入し、その足片４５の先側を脚板３０のスリット３１を通過させて綴じ板４０の後板部４２のスリット４１から露出させる。この場合、足片４５の折曲げ部分４５ｂを折り曲げて差込み部分４５ａに重ねた状態で挿入させる。そして、露出した足片４５の折曲げ部分４５ｂを拡げて後板部４２の裏面側に係止させる。
【００３０】
上記のように複数枚の紙葉Ｓを脚板３０と綴じ板４０とからなるホルダーＨで綴じ合わせたカレンダーは、使用時に際し脚板３０を利用して机上等に傾斜状態で立てる。この例では、脚片３１，３１を折罫ｉで直角に立てた後、係合片３２を折罫ｋで直角に立てることにより両者を係合することで図７に示す如く組み立てる。そして、月の変わり目に紙葉Ｓを順次切り取っていき、最後に脚板３０と綴じ板４０とからなるホルダーＨを廃棄することになる。
【００３１】
図１０〜図１２は図１〜図５に示した第１のタイプの卓上式カレンダーの変形例を示すもので、図１０はカレンダーを立てた状態で斜め後方から見た斜視図、図１１はホルダーの展開図、図１２はカレンダーの上部を拡大して示す側面図である。なお、カレンダーを立てた状態で斜め前方から見た斜視図は図１と同様なので省略する。
【００３２】
この卓上式カレンダーは、図３に示したのと同様な紙葉Ｓを複数枚まとめて傾斜状態に保持するホルダーとして、図１１に示す展開形状のホルダーＨを使用している。このホルダーＨは、図４に示したのと類似した展開形状をしているので、同様の部位には同じ符号を付してその説明を省略する。
【００３３】
図１１に示すホルダーＨは、図４に示すのと比べて、折返し部２２の上側に設ける足片２７の形状が異なっているとともに、脚板部２０のスリット２６の外側に切込み２８を設けてある点が異なっている。すなわち、足片２７は、スリット２６を通過できる大きさの差込み部分２７ａとその外側の翼部分２７ｂとからなり、この翼部分２７ｂは折罫ｃから所定長さだけ離れたところから差込み部分２７ａの外側に延設されている。ここでいう所定長さは、綴じる紙葉Ｓの束の厚み分とホルダーＨの厚み分を合わせた長さと略等しい。また、スリット２６の外側に位置する切込み２８は、スリット２６に足片２７を通した時に翼部分２７ｂが通過できる長さで形成してある。
【００３４】
図１２に複数枚の紙葉Ｓを上記のホルダーＨで綴じ合わせた状態を示す。この綴じ合わせの手順は次のようである。まず、前述したのと同様に、ホルダーＨの脚板部２０に複数枚の紙葉Ｓを上向きに重ね合わせ、脚板部２０のスリット２６と各紙葉Ｓのスリット１０をすべて合わせた状態とする。次いで、ホルダーＨの折返し部２２を折罫ａ，ｂで紙葉Ｓの表側に折り返し、各足片２７を紙葉Ｓのスリット１０に挿入し、さらに各足片２７の翼部分２７ｂがスリット２６外側の切込み２８を通るように押し込み、足片２７の先側を脚板部２０のスリット２６及び切込み２８から露出させる。これにより足片２７の翼部分２７ｂが切込み２８の回りに引っ掛かって脚板部２０の裏面側に係止する。このように本実施例ではスリット２６に足片２７を差し込むだけで抜けないようになる。
【００３５】
ここで、図１３に示すように、スリット２６の長さをＡ、スリット２６に切込み２８を加えた長さをＢ、スリット２６の幅をＣ、切込み２８の幅をＤとした場合、厚さがｔで全体幅がＬの足片２７がスリット２６から抜けないようにするためには、Ａ＞Ｌ＞Ｂ、且つＣ＞ｔ＞Ｄの条件を満たすことが必要である。
【００３６】
なお、上記した図１０〜図１２の例では足片の翼部分を差込み部分の外側に延設したが、差込み部分の内側に延設してもよい。さらには両側に延設しても構わない。この場合、スリットの端に設ける切込みもそれらに合わせて形成しておくようにする。また、図１３で説明した条件を満たすように設計することも必要である。
【００３７】
また、図１０〜図１２に示した足片は、図６〜図９に示した第２のタイプの卓上式カレンダーにも適用可能であることは言うまでもない。
【００３８】
【発明の効果】
以上説明したように、本発明の卓上式カレンダーは、暦を印刷した紙葉はもちろん複数枚の紙葉を綴じるホルダーも紙製としたので、廃棄する場合に分別などの手間がかからず、しかも環境に優しく公害問題を起こすこともない。
【図面の簡単な説明】
【図１】本発明に係る第１のタイプの卓上式カレンダーの一例を示すもので、カレンダーを立てた状態で斜め前方から見た斜視図である。
【図２】同じく斜め後方から見た斜視図である。
【図３】紙葉の平面図である。
【図４】ホルダーの展開図である。
【図５】図１及び図２に示すカレンダーの上部を拡大して示す側面図である。
【図６】本発明に係る第２のタイプの卓上式カレンダーの一例を示すもので、カレンダーを立てた状態で斜め前方から見た斜視図である。
【図７】同じく斜め後方から見た斜視図である。
【図８】脚板と綴じ板とからなるホルダーの展開図である。
【図９】図６及び図７に示すカレンダーの上部を拡大して示す側面図である。
【図１０】図１〜図５に示した第１のタイプの卓上式カレンダーの変形例を示すもので、カレンダーを立てた状態で斜め後方から見た斜視図である。
【図１１】図１０に示したカレンダーのホルダーの展開図である。
【図１２】図１０に示すカレンダーの上部を拡大して示す側面図である。
【図１３】図１０に示すカレンダーにおけるホルダー足片の抜止めの説明図である。
【符号の説明】
Ｈ  ホルダー
Ｓ  紙葉
１０  スリット
１１  ミシン目
２０  脚板部
２１  連結部
２２  折返し部
２３  足片
２３ａ  差込み部分
２３ｂ  折曲げ部分
２４  脚片
２５  係合片
２６  スリット
２７  足片
２７ａ  差込み部分
２７ｂ  翼部分
２８  切込み
３０  脚板
３１  脚片
３２  係合片
３３  スリット
４０  綴じ板
４１  スリット
４２  後板部
４３  連結部
４４  折返し部
４５  足片
４５ａ  差込み部分
４５ｂ  折曲げ部分
【図１】
0004089932.tif 000002
【図２】
0004089932.tif 000003
【図３】
0004089932.tif 000004
【図４】
0004089932.tif 000005
【図５】
0004089932.tif 000006
【図６】
0004089932.tif 000007
【図７】
0004089932.tif 000008
【図８】
0004089932.tif 000009
【図９】
0004089932.tif 000010
【図１０】
0004089932.tif 000011
【図１１】
0004089932.tif 000012
【図１２】
0004089932.tif 000013
【図１３】
0004089932.tif 000014